(57)【要約】【課題】  波長多重伝送により光通信を行なう際に用いる信号光出力装置及び信号光出力装置を有する光伝送システムにおいて、伝送される信号光のパワーや波長の制御を確実に行ない、信号光間の伝送特性を一定にしながら信号光の送受を正確に行なう。【解決手段】  信号光源１１−１〜１１−ｎと光増幅部１３−１〜１３−ｎとからなる信号光出力ユニット１５−１〜１５−ｎを複数そなえるとともに、信号光出力ユニット１５−１〜１５−ｎから出力された信号光を合波する光合波部１６と、該光合波部において合波された信号光の一部を取り出して、該信号光の波長を前記信号光源における信号光波長に対応した波長毎に検出する信号光波長検出部１８と、該信号光波長検出部により検出された該信号光の波長に基づいて、該光合波部において合波された信号光の波長を制御すべく、対応波長信号光出力用信号光源の信号光波長を制御する信号光波長制御手段１９′とをそなえる。【選択図】        図１４
2006020364.tif 000002
【特許請求の範囲】
【請求項１】
所望の波長の信号光を出力する信号光源と、該信号光源から出力された信号光を増幅する光増幅部とからなる信号光出力ユニットを複数そなえるとともに、
前記信号光出力ユニットから出力された複数の異なる波長の信号光を合波する光合波部と、
該光合波部において合波された信号光の一部を取り出して、該信号光の波長を前記信号光源における信号光波長に対応した波長毎に検出する信号光波長検出部と、
該信号光波長検出部により検出された該信号光の波長に基づいて、該光合波部において合波された信号光の波長を制御すべく、対応波長信号光出力用信号光源の信号光波長を制御する信号光波長制御手段とをそなえたことを
特徴とする、信号光出力装置。
【請求項２】
該信号光波長制御手段が、該信号光波長検出部により検出された前記信号光源毎の信号光波長と予め設定された前記信号光源毎の信号光波長とを比較し、該信号光波長検出部により検出された前記信号光源毎の信号光波長が予め設定された前記信号光源毎の信号光波長であるか否かを判定する信号光波長比較判定手段をそなえ、該信号光波長比較判定手段での比較判定結果に基づいて、該対応波長信号光出力用信号光源の信号光波長を制御するように構成されたことを特徴とする、請求項１記載の信号光出力装置。
【請求項３】
前記信号光源毎に光源温度調整部材が付設されるとともに、該信号光波長制御手段が、該対応波長信号光出力用信号光源に付設された該光源温度調整部材を制御することにより、該対応波長信号光出力用信号光源の信号光波長を制御するように構成されたことを特徴とする、請求項１記載の信号光出力装置。
【請求項４】
該信号光波長検出部が、光スペクトル分析器で構成されたことを特徴とする、請求項１記載の信号光出力装置。
【請求項５】
該光源温度調整部材が、ペルチエ素子で構成されたことを特徴とする、請求項３記載の信号光出力装置。
【請求項６】
所望の波長の信号光を出力する信号光源と、該信号光源から出力された信号光を増幅する光増幅部とからなる信号光出力ユニットを複数そなえるとともに、前記信号光出力ユニットから出力された複数の異なる波長の信号光を合波する光合波部と、該光合波部において合波された信号光の一部を取り出して、該信号光の波長を前記信号光源における信号光波長に対応した波長毎に検出する信号光波長検出部と、該信号光波長検出部により検出された該信号光の波長に基づいて、該光合波部において合波された信号光の波長を制御すべく、対応波長信号光出力用信号光源の信号光波長を制御する信号光波長制御手段とをそなえてなる信号光出力装置を複数そなえるとともに、
上記複数の信号光出力装置が、光ファイバを介して接続され、
且つ、入力側光ファイバから入力された信号光のうちの所望の波長の信号光については出力側光ファイバへ出力するとともに、該入力側光ファイバから入力された信号光のうちの所望の波長とは異なる他の波長の信号光については分岐用出力側光ファイバへ出力する分岐部と、分岐用入力側光ファイバから入力された信号光については該出力側光ファイバへと出力する挿入部とをそなえてなる光分岐挿入装置を、上記複数の信号光出力装置間を接続する該光ファイバの分岐点にそなえ、
上記複数の信号光出力装置間で該光分岐挿入装置を介して信号光の送受を行なうように構成されたことを
特徴とする、信号光出力装置を有する光伝送システム。
【発明の詳細な説明】
【技術分野】
【０００１】
本発明は、波長多重伝送により光通信を行なう光伝送システムにおいて、複数の波長の信号光を送信する送信装置として用いて好適な、信号光出力装置に関し、更には、このような信号光出力装置を有する光伝送システムに関する。
【背景技術】
【０００２】
従来より、例えば海により隔てられた端局間で信号光の送受を行なうべく、海底に光ファイバケーブルを敷設し、光ファイバケーブルに複数設けられた光増幅器を用いて信号光を多中継増幅する光伝送システムが開発されている。
このような海底における光伝送システムの一例を図２０に示す。
【０００３】
この図２０に示す光伝送システム１００は、複数の端局間で双方向通信を行なうためのものであり、複数の端局として、例えばＡ局１０１，Ｂ局１０２，Ｃ局１０３及びＤ局１０４を有しており、これらのＡ局〜Ｄ局１０１〜１０４は、光分岐挿入装置１０５，１０６を介して、光ファイバからなる光伝送路１０７により相互に接続されている。
即ち、図２０に示すように、Ａ局１０１とＣ局１０３とは光分岐挿入装置１０５を介して、また、Ｂ局１０２とＤ局１０４とは光分岐挿入装置１０６を介してそれぞれ接続されるとともに、Ａ局１０１とＢ局１０２，Ａ局１０１とＤ局１０４，Ｂ局１０２とＣ局１０３，Ｃ局１０３とＤ局１０４とはそれぞれ光分岐挿入装置１０５，１０６を介して接続されている。
【０００４】
なお、Ａ局〜Ｄ局１０１〜１０４は、それぞれ単一の波長の信号光を送信する送信装置１０９と、送信装置１０９から送信された信号光を受信する受信装置１１０とからなる送受信装置を複数組そなえている。
また、光伝送路１０７には、伝送される信号光を多中継増幅するための光増幅器１０８が複数設けられている。
【０００５】
このような構成により、図２０に示す光伝送システム１００においては、Ａ局〜Ｄ局１０１〜１０４間で相互に信号光の送受が行なわれる。
【発明の開示】
【発明が解決しようとする課題】
【０００６】
一方において、近年、光波長多重伝送を行なう波長多重（ＷＤＭ）用の光ファイバからなる光伝送路や、ＷＤＭ用の光増幅器、更にはＷＤＭ用の光分岐挿入装置の研究開発が進んでいる。
このようなＷＤＭ用の光伝送路，光増幅器及び光分岐挿入装置を用いた光伝送システムにおいては、複数の波長の信号光を１本の光伝送路により伝送し、伝送された複数の波長の信号光を１つの光増幅器により増幅して、波長により信号光の分岐（分波）や挿入（合波）を行なうことにより、信号光を所望の端局へ送信するようになっている。
【０００７】
ところが、ＷＤＭ用の光増幅器においては、その利得に波長依存性があるため、例えば４チャンネルの信号光を送信する際に、図２１（ａ）に示すように各信号光のパワーの比率が一定であっても、多中継増幅されて伝送された後の各信号光のパワーの比率は、図２１（ｂ）に示すように一定ではなくなる。なお、図２１（ｂ）に示すＡＳＥ（Amplified Spontaneous Emission；自然放出光）は、光増幅器において生じる雑音光である。
【０００８】
このように、伝送後の各信号光のパワーの比率が一定ではなくなると、各信号光のＳ／Ｎ比が等しくなくなるため、光伝送システムにおける信号光の伝送特性が劣化することになる。
このため、伝送後の各信号光のＳ／Ｎ比が等しくなるように、信号光を送信する際に、各信号光のパワーの比率を変えるプリエンファシスが行なわれている。
【０００９】
例えば図２２（ａ）に示すように、利得が高い波長の信号光のパワーを弱めてプリエンファシスを行なうと、伝送後の各信号光のパワーの比率は、図２２（ｂ）に示すように一定となるため、各信号光のＳ／Ｎ比を等しくすることができる。
この際、プリエンファシスの設定が変化すると、伝送後の各信号光のＳ／Ｎ比が変化するため、プリエンファシスの設定の変化を防ぐために、各信号光を出力するレーザダイオード（ＬＤ）のバックパワーをモニタし、その大きさに応じて各ＬＤの出力を増減させて各信号光のパワーが常にプリエンファシスにて設定された値となるような自動パワー制御（Automatic Power Control ；ＡＰＣ）が行なわれている。
【００１０】
しかしながら、各ＬＤの後段には変調器や偏波スクランブラ等の装置が設けられており、これらの装置を介して各ＬＤからの信号光が伝送される際に、信号光が損失するのであるが、このときの損失の程度が各装置により異なることから各信号光毎に損失の程度が異なり、上記の自動パワー制御を行なっても各信号光のパワーが設定値となるように制御することができないという課題がある。
【００１１】
このため、各ＬＤの前方向のパワーとして損失を受けた後の各信号光のパワーをモニタし、その大きさに応じて各ＬＤの出力を増減させて各信号光のパワーが設定値となるように制御する技術が特開平５−３２７６６２号公報で開示されている。
しかしながら、上記の自動パワー制御や特開平５−３２７６６２号公報で開示されている技術においては、各信号光のパワーの制御を各ＬＤの出力を変化させることにより行なっており、このようにＬＤの出力を変化させるとＬＤの近傍の温度が変化するため、ＬＤからの出力信号光の波長が変化する。
【００１２】
図２０に示すような従来よりの光伝送システム１００においては、各信号光毎に光伝送路１０７が設けられているため、出力信号光の波長が若干変化しても信号光の送受を確実に行なうことができるが、光波長多重伝送を行なうＷＤＭ用の光伝送システムにおいては、出力信号光の波長が変化すると光分岐挿入装置の信号光の分岐挿入特性が変化することがあり、このような場合には信号光の送受を正確に行なうことができなくなるという課題がある。
【００１３】
本発明は、このような課題に鑑み創案されたもので、簡素な構成により波長多重伝送される各信号光のパワーや波長の制御を確実に行ない、各信号光間の伝送特性を一定にしながら信号光の送受を正確に行なえるようにした、信号光出力装置及び信号光出力装置を有する光伝送システムを提供することを目的とする。
【課題を解決するための手段】
【００１４】
このため、本発明の信号光出力装置は、所望の波長の信号光を出力する信号光源と、該信号光源から出力された信号光を増幅する光増幅部とからなる信号光出力ユニットを複数そなえるとともに、前記信号光出力ユニットから出力された複数の異なる波長の信号光を合波する光合波部と、該光合波部において合波された信号光の一部を取り出して、該信号光の波長を前記信号光源における信号光波長に対応した波長毎に検出する信号光波長検出部と、該信号光波長検出部により検出された該信号光の波長に基づいて、該光合波部において合波された信号光の波長を制御すべく、対応波長信号光出力用信号光源の信号光波長を制御する信号光波長制御手段とをそなえたことを特徴としている。
【００１５】
また、該信号光波長制御手段を、該信号光波長検出部により検出された前記信号光源毎の信号光波長と予め設定された前記信号光源毎の信号光波長とを比較し、該信号光波長検出部により検出された前記信号光源毎の信号光波長が予め設定された前記信号光源毎の信号光波長であるか否かを判定する信号光波長比較判定手段をそなえ、該信号光波長比較判定手段での比較判定結果に基づいて、該対応波長信号光出力用信号光源の信号光波長を制御するように構成することもできる。
【００１６】
さらに、好ましくは、前記信号光源毎に光源温度調整部材が付設されるとともに、該信号光波長制御手段を、該対応波長信号光出力用信号光源に付設された該光源温度調整部材を制御することにより、該対応波長信号光出力用信号光源の信号光波長を制御するように構成してもよい。
また、好ましくは、該信号光波長検出部を、光スペクトル分析器で構成する。更に、該光源温度調整部材を、ペルチエ素子で構成する。
【００１７】
さらに、本発明の信号光出力装置を有する光伝送システムは、所望の波長の信号光を出力する信号光源と、該信号光源から出力された信号光を増幅する光増幅部とからなる信号光出力ユニットを複数そなえるとともに、前記信号光出力ユニットから出力された複数の異なる波長の信号光を合波する光合波部と、該光合波部において合波された信号光の一部を取り出して、該信号光の波長を前記信号光源における信号光波長に対応した波長毎に検出する信号光波長検出部と、該信号光波長検出部により検出された該信号光の波長に基づいて、該光合波部において合波された信号光の波長を制御すべく、対応波長信号光出力用信号光源の信号光波長を制御する信号光波長制御手段とをそなえてなる信号光出力装置を複数そなえるとともに、上記複数の信号光出力装置が、光ファイバを介して接続され、且つ、入力側光ファイバから入力された信号光のうちの所望の波長の信号光については出力側光ファイバへ出力するとともに、該入力側光ファイバから入力された信号光のうちの所望の波長とは異なる他の波長の信号光については分岐用出力側光ファイバへ出力する分岐部と、分岐用入力側光ファイバから入力された信号光については該出力側光ファイバへと出力する挿入部とをそなえてなる光分岐挿入装置を、上記複数の信号光出力装置間を接続する該光ファイバの分岐点にそなえ、上記複数の信号光出力装置間で該光分岐挿入装置を介して信号光の送受を行なうように構成されたことを特徴としている。
【発明の効果】
【００１８】
また、本発明によれば、光合波部において合波された信号光の波長を制御するために、対応波長信号光出力用信号光源に付設された光源温度調整部材を制御して対応波長信号光出力用信号光源の信号光波長を制御することにより、各信号光の波長の変化を確実に防ぐことができる利点がある。
【００１９】
また、本発明によれば、信号光出力装置を複数そなえるとともに、上記複数の信号光出力装置間を接続する光ファイバの分岐点に光分岐挿入装置をそなえ、上記複数の信号光出力装置間で光分岐挿入装置を介して信号光の送受を行なうように構成されることにより、信号光出力装置における信号光を出力する際のプリエンファシスを長期的に安定化して、各信号光間の伝送特性のばらつきを最小限に抑えることができるとともに、信号光の波長の変化による光分岐挿入装置の分岐挿入特性の変化を防いで、複数の信号光出力装置間で信号光の送受を正確に行なうことができる利点がある。
【発明を実施するための最良の形態】
【００２０】
以下、図面を参照して本発明の実施の形態を説明する。
（ａ）光伝送システムの構成
図２は本発明にかかる信号光出力装置が適用される光伝送システムの構成を示すブロック図である。
【００２１】
この図２に示す光伝送システム１０は、波長多重（ＷＤＭ）伝送により複数の端局間で光通信を行なうためのものであり、複数の端局として、例えばＡ局１，Ｂ局２及びＣ局３を有しており、これらのＡ局〜Ｃ局１〜３は、光分岐挿入装置４を介して、光ファイバからなる光伝送路５により相互に接続されている。
ここで、Ａ局１は、複数の波長の信号光を出力して送信する送信装置７をそなえることにより送信局として機能するものであり、Ｂ局２は、他の端局（図２ではＡ局１及びＣ局３）の送信装置７から送信された信号光を受信する受信装置８をそなえることにより受信局として機能するものである。また、Ｃ局３は、複数の波長の信号光を出力して送信する送信装置７と、他の端局（図２ではＡ局１）の送信装置７から送信された信号光を受信する受信装置８とをそなえることにより、送受信局として機能するものである。
【００２２】
そして、本発明にかかる信号光出力装置は、Ａ局１〜Ｃ局３における送信装置７として用いられるものであり、その構成及び機能については後述にて詳細に説明する。
また、光分岐挿入装置４は、複数の端局（図２ではＡ局１，Ｂ局２及びＣ局３）を相互に接続した光伝送路５の分岐点に設けられ、この光伝送路５を介してこれらの端局１〜３から入力された所望の波長の信号光を所望の端局１〜３へ出力することにより、複数の端局間で信号光の伝送を行なえるようにするものである。この光分岐挿入装置４についても、詳細については後述する。
【００２３】
なお、光伝送路５には、伝送される信号光を多中継増幅するための光増幅器６が複数設けられている。
上述の構成により、図２に示す光伝送システム１０においては、Ａ局１から複数の波長の信号光が送信されるとともにＣ局３から信号光が送信されると、これらの信号光は光伝送路５を介して光分岐挿入装置４へ入力される。
【００２４】
光分岐挿入装置４では、Ａ局１から送信された信号光のうちの所望の波長の信号光については、Ｃ局３から送信された信号光と合波されてＢ局２へ出力されるとともに、Ａ局１から送信された信号光のうちの他の波長の信号光については、分岐されてＣ局３へ出力される。
（ｂ）信号光出力装置（送信装置）の第１関連実施形態の説明
図１は本発明の第１関連実施形態にかかる信号光出力装置の構成を示すブロック図である。
【００２５】
この図１に示す信号光出力装置７は、複数の波長の信号光λ１  〜λｎ  を出力する際に、各信号光λ１  〜λｎ  のパワーを予め設定された値となるように調整して出力するものであり、前述のごとく、図２に示すような光伝送システム１０において、相互に信号光の送受信を行なう複数の端局（図２においてはＡ局１及びＣ局３）の送信装置として用いられるものである。
【００２６】
ここで、信号光出力装置７は、図１に示すように、信号光出力ユニット１５−１〜１５−ｎ，合波器１６，光スペクトラムアナライザ（光スペクトル分析器）１８及び中央処理装置（ＣＰＵ）１９をそなえている。
なお、１７は１０：１カプラであり、２０−１〜２０−ｎはＤ／Ａ変換器である。
また、図１においては、信号光が通るルートを太線で示し、電気信号が通るルートを細線で示している。
【００２７】
信号光出力ユニット１５−１〜１５−ｎは、波長１５５０ｎｍから１５６０ｎｍの範囲において２ｎｍ間隔でそれぞれ異なる波長の信号光λ１  〜λｎ  を出力するものである。
この信号光出力ユニット１５−１は、所望の波長の信号光（図１においてはλ１  ）を出力する信号光源としてのレーザダイオード（ＬＤ）１１−１，ＬＤ１１−１から出力された信号光を変調する変調器１２−１，変調器１２−１から出力された信号光をランダム符号系列に変換するスクランブラ（Scr ambler ；ＳＣＲ）１３−１及びＳＣＲ１３−１から出力された信号光を所望の大きさに増幅する光増幅部としてのポストアンプ１４−１をそなえている。
【００２８】
また、他の信号光出力ユニット１５−ｎも、所望の波長の信号光（図１においてはλｎ  ）を出力する信号光源としてのレーザダイオード（ＬＤ）１１−ｎ，ＬＤ１１−ｎから出力された信号光を変調する変調器１２−ｎ，変調器１２−ｎから出力された信号光をランダム符号系列に変換するスクランブラ（Scrambler ；ＳＣＲ）１３−ｎ及びＳＣＲ１３−ｎから出力された信号光を所望の大きさに増幅する光増幅部としてのポストアンプ１４−ｎをそなえている。
【００２９】
なお、本実施形態における変調器１２−１〜１２−ｎとしては、ニオブ酸リチウム（ＬｉＮｂＯ３  ；ＬＮ）マッハツェンダ型変調器（このＬＮマッハツェンダ型変調器は図１ではＬＮで表記されている）が用いられているが、半導体の電界吸収効果を用いた吸収（Electric Absorption ；ＥＡ）型変調器を用いてもよい。
また、ポストアンプ１４−１〜１４−ｎは、図３に示すように、それぞれエルビウムドープファイバ（ＥＤＦ）１４ａ，光アイソレータ１４ｂ，光カプラ１４ｃ，ポンプレーザダイオード（以下ポンプＬＤという）１４ｄ，トランジスタ１４ｆ及び抵抗１４ｅ，１４ｇをそなえて構成されているが、このポストアンプ１４−１〜１４−ｎについての詳細な説明については後述する。なお、図３においては、ポストアンプ１４−ｉ（ｉ＝１，…，ｎ）について示している。
【００３０】
さらに、合波器１６は、信号光出力ユニット１５−１〜１５−ｎから出力された複数の異なる波長の信号光λ１  〜λｎ  を合波する光合波部として機能するものである。
また、光スペクトラムアナライザ（光スペクトル分析器）１８は、合波器１６において合波された信号光の一部をカプラ１７を介して取り出して、合波された信号光のパワーを、信号光出力ユニット１５−１〜１５−ｎのＬＤ１１−１〜１１−ｎにおける信号光波長に対応した波長毎に検出する信号光パワー検出部として機能するものである。
【００３１】
即ち、光スペクトラムアナライザ１８は、合波された信号光における各信号光λ１  〜λｎ  のパワーを検出することにより、合波された信号光における各信号光成分をモニタするものである。
ここで、光スペクトラムアナライザ１８は、複数の波長の信号光λ１  〜λｎ  からなる信号光が入力されると、入力された信号光を各信号光毎に分離してこれらの信号光λ１  〜λｎ  のピークサーチを行なうことにより、各信号光λ１  〜λｎ  のパワーや波長を検出するとともに、この光スペクトラムアナライザ１８と接続されたパーソナルコンピュータ（図１においてはＣＰＵ１９）とコマンド信号の送受を行なうことにより、パーソナルコンピュータへ検出データを送信するものである。
【００３２】
具体的には、例えば図４に示すように、モノクロメータ１８ａ，フォトダイオード１８ｂ，トランスインピーダンス増幅器１８ｃ，ディスプレイ１８ｄ，制御部１８ｅ及び電流源１８ｆで構成されている。
合波された信号光が光スペクトラムアナライザ１８に入力されると、入力された信号光はモノクロメータ１８ａにて各信号光毎に分離され、分離された各信号光λ１  〜λｎ  は、フォトダイオード１８ｂにて検出された後にトランスインピーダンス増幅器１８ｃにて所定の大きさに増幅されて、この増幅された信号に基づいて各信号光λ１  〜λｎ  のパワーや波長等が検出され、検出結果がディスプレイ１８ｄに表示される。
【００３３】
また、検出された各信号光λ１  〜λｎ  のパワーや波長等のデータは、制御部１８ｅ内に設けられたメモリに格納され、図４においては図示しないパーソナルコンピュータからの送信要求に応じて、このパーソナルコンピュータへ送信される。
本実施形態においては、光スペクトラムアナライザ１８における動作は、光スペクトラムアナライザ１８と接続されたパーソナルコンピュータ（即ち図１に示すＣＰＵ１９）により統括制御されている。
【００３４】
なお、光スペクトラムアナライザ１８の分解能（RESOLUTION）は、０．２ｎｍ程度でよく、これ以上の精度は必要ない。また、検出データの送信においては、ＲＳ２３２ＣやＧＰＩＢ等の規格が用いられる。
ところで、ＣＰＵ１９は、前述のごとく、光スペクトラムアナライザ１８における動作を制御するとともに、光スペクトラムアナライザ１８により検出された各信号光λ１  〜λｎ  のパワーに基づいて、合波された信号光における各信号光λ１  〜λｎ  のパワーを制御すべく、対応するポストアンプ１４−１〜１４−ｎの信号光出力を制御する信号光出力制御手段として機能するものである。
【００３５】
そして、この信号光出力制御手段としての機能を実現するために、ＣＰＵ１９は、図３に示すように、プリエンファシス（このプリエンファシスとは、複数の波長の信号光λ１  〜λｎ  を送信する際に各信号光λ１  〜λｎ  のパワーの比率を変えることである）により設定された各信号光λ１  〜λｎ  のパワーの値（即ち各信号光λ１  〜λｎ  のパワーの初期設定値）を格納するメモリ１９ａを有するとともに、信号光パワー比較判定部１９ｂ及びポストアンプ制御部１９ｃに相当する機能をソフトウェアの処理により実現している。
【００３６】
信号光パワー比較判定部１９ｂは、光スペクトラムアナライザ１８から各信号光λ１  〜λｎ  の検出データが入力されると、入力された信号光λ１  〜λｎ  に対応する信号光のパワーの初期設定値をメモリ１９ａから読み出して、光スペクトラムアナライザ１８により検出された各信号光λ１  〜λｎ  のパワーと、プリエンファシスにより設定された各信号光λ１  〜λｎ  のパワーとを比較し、光スペクトラムアナライザ１８により検出された各信号光λ１  〜λｎ  のパワーの値がプリエンファシスによる設定値であるか否かを判定するものである。
【００３７】
また、ポストアンプ制御部１９ｃは、信号光パワー比較判定部１９ｂでの比較判定結果に基づいて、対応するポストアンプ１４−１〜１４−ｎの信号光出力を制御する出力制御信号を出力するものである。
さらに、ポストアンプ制御部１９ｃから出力された出力制御信号は、Ｄ／Ａ変換器２０−１〜２０−ｎによりＤ／Ａ変換されて、ポストアンプ１４−１〜１４−ｎへ入力される。なお、図３においては、Ｄ／Ａ変換器２０−ｉ（ｉ＝１，…，ｎ）について示している。
【００３８】
ここで、前述したポストアンプ１４−１〜１４−ｎについて説明する。
一般に、複数の波長の信号光を送信する際には、各信号光のパワーの比率を変えるプリエンファシスが行なわれており、各信号光のパワーが常にプリエンファシスにて設定された値となるように、各信号光を出力するＬＤを制御してその出力を変化させているが、このようにＬＤの出力を変化させるとＬＤの近傍の温度が変化するため、ＬＤからの出力信号光の波長が変化する。
【００３９】
図２０に示すような従来よりの光伝送システム１００においては、各信号光毎に光伝送路１０７が設けられているため、出力信号光の波長が若干変化しても信号光の送受を確実に行なうことができるが、図２に示すような光伝送システム１０においては、出力信号光の波長が変化すると後述にて詳細に説明するような光分岐挿入装置４の信号光の分岐挿入特性が変化することがあり、このような場合には信号光の送受を正確に行なうことができないことがある。
【００４０】
そこで、本実施形態にかかる信号光出力装置７では、各信号光出力ユニット１５−１〜１５−ｎ毎にそれぞれポストアンプ１４−１〜１４−ｎを設けて、ＣＰＵ１９によりこれらのポストアンプ１４−１〜１４−ｎで増幅された各信号光λ１  〜λｎ  の出力レベルを制御することにより、ＬＤ１１−１〜１１−ｎからの出力を変化させることなく（即ち信号光の波長を変化させることなく）、各信号光毎にその信号光パワーを制御しているのである。
【００４１】
具体的には、ポストアンプ１４−１〜１４−ｎは、前述のごとく、図３に示すように、それぞれエルビウムドープファイバ（ＥＤＦ）１４ａ，光アイソレータ１４ｂ，光カプラ１４ｃ，ポンプＬＤ１４ｄ，トランジスタ１４ｆ及び抵抗１４ｅ，１４ｇをそなえて構成されている。
ここで、エルビウムドープファイバ（ＥＤＦ）１４ａは、光増幅部として機能する部分であり、ポンプＬＤ１４ｄは、所定の帯域（例えば１．４７μｍ帯域や０．９８μｍ帯域）の励起光を生じる励起光源であり、ＥＤＦ１４ａとポンプＬＤ１４ｄとは光カプラ１４ｃを介して接続されている。
【００４２】
また、トランジスタ１４ｆは、ポンプＬＤ１４ｄのバイアス電流を制御することにより、ポンプＬＤ１４ｄにおける励起光出力を制御するものである。
このトランジスタ１４ｆにおいては、コレクタ１４ｆ−３はポンプＬＤ１４ｄと接続されるとともに、エミッタ１４ｆ−２は抵抗１４ｇと接続されている。また、ベース１４ｆ−１は抵抗１４ｅ及びＤ／Ａ変換器２０−ｉを介してＣＰＵ１９のポストアンプ制御部１９ｃと接続されている。
【００４３】
なお、光カプラ１４ｃの後段には、反射した信号光がポストアンプ１４−ｉに入力されることを防ぐ光アイソレータ１４ｂが設けられている。
このような構成により、ポストアンプ１４−ｉにおいては、ＣＰＵ１９のポストアンプ制御部１９ｃからの出力制御信号がＤ／Ａ変換器２０−ｉを介して入力されると、トランジスタ１４ｆのコレクタ１４ｆ−３からエミッタ１４ｆ−２へ流れる電流が変化し、これに伴ってポンプＬＤ１４ｄのバイアス電流が変化する。
【００４４】
このようにポンプＬＤ１４ｄのバイアス電流が変化すると、ポンプＬＤ１４ｄにおける励起光出力が変化することにより、ＥＤＦ１４ａでの光増幅が制御されて、ポストアンプ１４−ｉの信号光出力が制御される。
なお、このポストアンプ１４−ｉの出力パワーは、約＋１０ｄＢｍである。
上述の構成により、本実施形態にかかる信号光出力装置７においては、信号光出力ユニット１５−１〜１５−ｎからそれぞれ異なる波長の信号光λ１  〜λｎ  が出力されると、出力された複数の信号光λ１  〜λｎ  は合波器１６により合波されて光伝送路５へ出力される。
【００４５】
一方で、合波器１６において合波された信号光の一部が、カプラ１７を介して光スペクトラムアナライザ１８に入力され、光スペクトラムアナライザ１８では入力された信号光から合波された信号光における各信号光λ１  〜λｎ  のパワーが検出され、ＣＰＵ１９では、光スペクトラムアナライザ１８により検出された各信号光λ１  〜λｎ  のパワーに基づいて、合波された信号光における各信号光λ１  〜λｎ  のパワーを制御すべく、対応するポストアンプ１４−１〜１４−ｎの信号光出力を制御する。
【００４６】
このときの光スペクトラムアナライザ１８及びＣＰＵ１９の行なう動作の一例を、図５を用いて更に説明する。
制御の対象となる信号光をλｍ  とすると、まず、ＣＰＵ１９では、ｍが０にリセットされた後に（ステップＡ１）、ｍが１にセットされることにより制御の対象となる信号光がλ１  となる（ステップＡ２）。
【００４７】
これを受けて、光スペクトラムアナライザ１８では、合波器１６により合波された信号光がカプラ１７を介して取り出された後モニタされ（ステップＡ３）、信号光λ１  のピークサーチが行なわれる（ステップＡ４）。
更に、光スペクトラムアナライザ１８では、信号光λ１  の信号光のパワー（ピークパワー）が検出されて、検出された信号光λ１  のパワーの値は、ＣＰＵ１９からの送信要求に応じてＣＰＵ１９へ送信される（ステップＡ５）。
【００４８】
ＣＰＵ１９においては、信号光パワー比較判定部１９ｂでは、検出された信号光λ１  のパワーの値が入力されると、プリエンファシスにより設定された信号光λ１  のパワーの初期設定値がメモリ１９ａから読み出されて、検出された信号光λ１  のパワーの値と初期設定値とが比較され、まず、検出された信号光λ１  のパワーの値が初期設定値から±０．５ｄＢ以内の範囲にあるか否かが判定される（ステップＡ６）。
【００４９】
ここで、検出された信号光λ１  のパワーの値が初期設定値から±０．５ｄＢ以内の範囲にある場合には、検出された信号光λ１  のパワーの値が初期設定値であるとみなされるため、信号光λ１  を増幅するポストアンプ１４−１の信号光の出力の制御は行なわれない（ステップＡ６のＹＥＳルートからステップＡ１０）。
一方で、検出された信号光λ１  のパワーの値が初期設定値から±０．５ｄＢ以内の範囲にない場合には、続いて、検出された信号光λ１  のパワーの値が初期設定値から０．５ｄＢ以上の範囲にあるか否かが判定される（ステップＡ６のＮＯルートからステップＡ７）。
【００５０】
ここで、検出された信号光λ１  のパワーの値が初期設定値から０．５ｄＢ以上の範囲にある場合は、ポストアンプ１４−１のバイアス電流を５ｍＡステップで減少させるような出力制御信号が出力され、信号光λ１  を増幅するポストアンプ１４−１の信号光の出力の制御が行なわれる（ステップＡ７のＹＥＳルートからステップＡ８）。
また、初期設定値から０．５ｄＢ以上の範囲にない場合（即ち初期設定値から０．５ｄＢ以下の範囲にある場合）は、ポストアンプ１４−１のバイアス電流を５ｍＡステップで増加させるような出力制御信号が出力され、信号光λ１  を増幅するポストアンプ１４−１の信号光の出力の制御が行なわれる（ステップＡ７のＮＯルートからステップＡ９）。
【００５１】
このようにして、信号光λ１  の制御が終了すると、ＣＰＵ１９では、ｍ＝ｎであるかが判断されることにより全ての信号光λ１  〜λｎ  の制御が終了したか否かが判定され（ステップＡ１０）、この場合はｍ＝１であり全ての信号光λ１  〜λｎ  の制御が終了していないため、信号光λ１  以外の信号光の制御が開始される（ステップＡ１０のＮＯルートからステップＡ２）。
【００５２】
信号光λ１  以外の信号光の制御も、上述のステップＡ２〜ステップＡ９にて説明した場合と同様に行なわれ、信号光λｎ  の制御が終了すると、ステップＡ１０においてはｍ＝ｎであると判断されるため、各信号光のパワーの制御が終了する（ステップＡ１０のＹＥＳルート）。
なお、上述したような各信号光のパワーの制御は、例えば１日に数回行なわれる。
【００５３】
このように本実施形態にかかる信号光出力装置７においては、複数の波長の信号光λ１  〜λｎ  が合波されて出力される際に、光伝送路５への入力端において各信号光λ１  〜λｎ  が合波された信号光の一部を分岐して取り出して、光スペクトラムアナライザ１８により各信号光λ１  〜λｎ  のパワーをモニタして、ＣＰＵ１９により、各信号光λ１  〜λｎ  のパワーの値が初期設定値であるかを監視しながら、常に各信号光λ１  〜λｎ  のパワーの値が初期設定値であるように各ポストアンプ１４−１〜１４−ｎの信号光出力を制御することにより、プリエンファシスにより設定された各信号光λ１  〜λｎ  のパワーの比率を確実に制御することができる。
【００５４】
また、各ポストアンプ１４−１〜１４−ｎの信号光出力を制御することにより各信号光λ１  〜λｎ  のパワーを制御しているため、従来の信号光出力装置のような信号光源（ＬＤ）の出力を制御することによる信号光の波長の変化を防ぐことができる。
これにより、図２に示すような波長多重（ＷＤＭ）伝送を行なう光伝送システム１０において、送信装置７における信号光を出力する際のプリエンファシスを長期的に安定化して、各信号光間の伝送特性のばらつきを最小限に抑えることができるとともに、信号光の波長の変化による光分岐挿入装置４の分岐挿入特性の変化を防いで、端局１〜３間で信号光の送受を正確に行なうことができる。
（ｂ１）信号光出力装置（送信装置）の第１関連実施形態の変形例の説明
図１２は本発明の第１関連実施形態の変形例にかかる信号光出力装置を示すブロック図であるが、この図１２に示す信号光出力装置７Ａも、前述の第１関連実施形態におけるものと同様に、複数の波長の信号光λ１  〜λｎ  を出力する際に、各信号光λ１  〜λｎ  のパワーを予め設定された値となるように調整して出力するものであり、信号光を出力する端局の送信装置として用いられるものである。
【００５５】
ここで、信号光出力装置７Ａは、図１２に示すように、信号光出力ユニット１５−１〜１５−ｎ，合波器１６，分波器３０，フォトダイオード（ＰＤ）３１−１〜３１−ｎ及び制御部３２をそなえている。なお、１７は１０：１カプラである。
また、図１２においては、信号光が通るルートを太線で示し、電気信号が通るルートを細線で示している。
【００５６】
この図１２において、図１に示す第１関連実施形態にかかる信号光出力装置７と同じ符号を付したものは、同様の構成及び機能を有するものである。
また、分波器３０は、合波器１６において合波された信号光の一部をカプラ１７を介して取り出して、合波された信号光を信号光出力ユニット１５−１〜１５−ｎのＬＤ１１−１〜１１−ｎにおける信号光波長に対応した波長毎に分波するものである。
【００５７】
即ち、分波器３０は、合波された信号光の一部を取り出して、各信号光λ１  〜λｎ  毎に分波するものである。
また、フォトダイオード（ＰＤ）３１−１〜３１−ｎは、分波器３０により分波された各信号光λ１  〜λｎ  を受光し、その信号光パワーに応じた電気信号を出力する光電変換素子であり、ＰＤ３１−１〜３１−ｎには、図１３に示すように、接地された抵抗３３が設けられている。なお、図１３においては、ＰＤ３１−ｉ（ｉ＝１，…，ｎ）について示している。
【００５８】
即ち、本実施形態においては、合波された信号光における各信号光λ１  〜λｎ  のパワーを検出し、合波された信号光における各信号光成分をモニタする信号光パワー検出部としての機能を、上記の分波器３０及びＰＤ３１−１〜３１−ｎにより実現しているのである。
ところで、制御部３２は、各ＰＤ３１−１〜３１−ｎにおいて光電変換された電気信号がそれぞれ入力される制御回路３２−１〜３２−ｎをそなえている。
【００５９】
ここで、制御回路３２−１〜３２−ｎは、図１３に示すように、差動増幅器等により構成される演算増幅器（Operational Amplifier ；以下ＯＰアンプという）３４ａ，抵抗３４ｂ，３４ｃ及び所定の起電力を有することにより各信号光毎のパワーの初期値が設定される可変電圧源３４ｄをそなえている。なお、図１３においては、制御回路３２−ｉ（ｉ＝１，…，ｎ）について示している。
【００６０】
また、ＯＰアンプ３４ａのリファレンス（即ち各信号光毎のパワーの初期値）の調整は、信号光出力装置７Ａの初期設定時に信号光の伝送を行ない、光伝送路５への入力端での各信号光のＳ／Ｎ比が等しくなるように各信号光のパワーを調整することにより行なわれる。
図１３に示す制御回路３２−ｉにおいては、ＯＰアンプ３４ａの非反転入力端に可変電圧源３４ｄから所定の電圧が参照電圧として入力され、ＯＰアンプ３４ａの反転入力端にＰＤ３１−ｎから分波された信号光のパワーを示す電気信号が入力されると、ＯＰアンプ３４ａからは各信号光のパワーを制御するための制御信号としての電圧信号が出力される。
【００６１】
このように制御回路３２−ｉにおいて出力された電圧信号は、信号光出力ユニット１５−ｉにおけるポストアンプ１４−ｉに入力される。
さらに、ポストアンプ１４−ｉにおいては、制御回路３２−ｉにおいて出力された電圧信号はトランジスタ１４ｆに入力されて、第１関連実施形態において説明した場合と同様にポストアンプ１４−ｉの信号光出力の制御が行なわれる。
【００６２】
即ち、制御部３２における制御回路３２−１〜３２−ｎは、分波器３０及びＰＤ３１−１〜３１−ｎからなる信号光パワー検出部により検出された各信号光λ１  〜λｎ  のパワーに基づいて、合波された信号光における各信号光λ１  〜λｎ  のパワーを制御すべく、対応するポストアンプ１４−１〜１４−ｎの信号光出力を制御する信号光出力制御手段として機能するものであり、具体的には、制御回路３２−１〜３２−ｎは、ＰＤ３１−１〜３１−ｎにより検出された各信号光λ１  〜λｎ  のパワーと、プリエンファシスにより設定された各信号光λ１  〜λｎ  のパワーとを比較し、ＰＤ３１−１〜３１−ｎにより検出された各信号光λ１  〜λｎ  のパワーの値がプリエンファシスによる設定値であるか否かを判定する信号光パワー比較判定手段としての機能をそなえ、このときの比較判定結果に基づいて、対応するポストアンプ１４−１〜１４−ｎの信号光出力を制御するものである。
【００６３】
なお、ポストアンプ１４−１〜１４−ｎの信号光の出力パワーは＋１０ｄＢｍ程度であり、合波器１６，カプラ１７及び分波器３０を通過した後のＰＤ３１−１〜３１−ｎへの信号光の入力パワーは−１０ｄＢｍ程度である。
上述の構成により、第１関連実施形態の変形例にかかる信号光出力装置７Ａにおいても、第１関連実施形態にかかる信号光出力装置７と同様に、信号光出力ユニット１５−１〜１５−ｎからそれぞれ異なる波長の信号光λ１  〜λｎ  が出力されると、出力された複数の信号光λ１  〜λｎ  は合波器１６により合波されて光伝送路５へ出力される。
【００６４】
一方で、本実施形態にかかる信号光出力装置７Ａにおいては、合波器１６において合波された信号光の一部が、カプラ１７を介して分波器３０に入力され、分波器３０では入力された信号光を各信号光毎に分波し、分波された各信号光λ１  〜λｎ  は、それぞれＰＤ３１−１〜３１−ｎで受光されてその信号光パワーに応じた電気信号に変換される。
各ＰＤ３１−１〜３１−ｎにおいて光電変換された電気信号は、それぞれ制御回路３２−１〜３２−ｎに入力され、各ＰＤ３１−１〜３１−ｎにより検出された各信号光λ１  〜λｎ  のパワーに基づいて、合波された信号光における各信号光λ１  〜λｎ  のパワーを制御すべく、対応するポストアンプ１４−１〜１４−ｎの信号光出力を制御する。
【００６５】
このように、第１関連実施形態の変形例にかかる信号光出力装置７Ａは、複数の波長の信号光λ１  〜λｎ  が合波されて出力される際に、光伝送路５への入力端において各信号光λ１  〜λｎ  が合波された信号光の一部を分岐して取り出して、分波器３０，ＰＤ３１−１〜３１−ｎ及び制御部３２により各信号光λ１  〜λｎ  のパワーをモニタして、常に各信号光λ１  〜λｎ  のパワーの値が初期設定値であるように各ポストアンプ１４−１〜１４−ｎの信号光出力を制御することにより、第１関連実施形態にかかる信号光出力装置７と同様の利点がある。
【００６６】
また、本実施形態においては、合波された信号光における各信号光λ１  〜λｎ  のパワーを検出し、合波された信号光における各信号光成分をモニタする信号光パワー検出部としての機能を分波器３０及びＰＤ３１−１〜３１−ｎにより実現するとともに、分波器３０及びＰＤ３１−１〜３１−ｎにより検出された各信号光λ１  〜λｎ  のパワーに基づいて、合波された信号光における各信号光λ１  〜λｎ  のパワーを制御すべく、対応するポストアンプ１４−１〜１４−ｎの信号光出力を制御する信号光出力制御手段としての機能を制御部３２により実現することにより、信号光出力装置の低廉化を図ることができる。
（ｂ２）信号光出力装置（送信装置）の一実施形態の説明
図１４は本発明の一実施形態にかかる信号光出力装置を示すブロック図であるが、この図１４に示す信号光出力装置７Ｂは、複数の波長の信号光λ１  〜λｎ  を出力する際に、各信号光λ１  〜λｎ  の波長を予め設定された値となるように調整して出力するものであり、前述のごとく、図２に示すような光伝送システム１０において、相互に信号光の送受信を行なう複数の端局（図２においてはＡ局１及びＣ局３）の送信装置として用いられるものである。
【００６７】
ここで、信号光出力装置７Ｂは、図１４に示すように、信号光出力ユニット１５−１〜１５−ｎ，合波器１６，光スペクトラムアナライザ（光スペクトル分析器）１８及びＣＰＵ１９′をそなえている。
なお、１７は１０：１カプラであり、３５−１〜３５−ｎはＤ／Ａ変換器である。
また、図１４においては、信号光が通るルートを太線で示し、電気信号が通るルートを細線で示している。
【００６８】
この図１４において、図１に示す第１関連実施形態にかかる信号光出力装置７と同じ符号を付したものは、同様の構成及び機能を有するものであるが、光スペクトラムアナライザ（光スペクトル分析器）１８は、本実施形態においては、合波器１６において合波された信号光の一部をカプラ１７を介して取り出して、合波された信号光の波長を、信号光出力ユニット１５−１〜１５−ｎのＬＤ１１−１〜１１−ｎにおける信号光波長に対応した波長毎に検出する信号光波長検出部として機能する。
【００６９】
本実施形態においては、ＬＤ１１−１〜１１−ｎには、ＬＤ１１−１〜１１−ｎの近傍の温度を調整することにより、ＬＤ１１−１〜１１−ｎからの出力信号光の波長を制御する光源温度調整部材としてのＬＤ温度調整部材３６−１〜３６−ｎがそれぞれ付設されているが、これらの詳細な説明については後述する。
また、ＣＰＵ１９′は、光スペクトラムアナライザ１８における動作を制御するとともに、光スペクトラムアナライザ１８により検出された各信号光λ１  〜λｎ  の波長に基づいて、合波された信号光における各信号光λ１  〜λｎ  の波長を制御すべく、対応するＬＤ１１−１〜１１−ｎの信号光波長を制御する信号光波長制御手段として機能するものである。
【００７０】
このときの対応するＬＤ１１−１〜１１−ｎの出力信号光の波長の制御は、対応するＬＤ１１−１〜１１−ｎに付設されたＬＤ温度調整部材３６−１〜３６−ｎの温度を制御することにより行なわれている。
そして、この信号光波長制御手段としての機能を実現するために、ＣＰＵ１９′は、図１５に示すように、各信号光λ１  〜λｎ  の波長の値（即ち各信号光λ１  〜λｎ  の波長の初期設定値）を格納するメモリ１９ａ′を有するとともに、信号光波長比較判定部１９ｄ及びＬＤ制御部１９ｅに相当する機能をソフトウェアの処理により実現している。
【００７１】
信号光波長比較判定部１９ｄは、光スペクトラムアナライザ１８から各信号光λ１  〜λｎ  の検出データが入力されると、入力された信号光λ１  〜λｎ  に対応する信号光の波長の初期設定値をメモリ１９ａ′から読み出して、光スペクトラムアナライザ１８により検出された各信号光λ１  〜λｎ  の波長と、予め設定された各信号光λ１  〜λｎ  の波長とを比較し、光スペクトラムアナライザ１８により検出された各信号光λ１  〜λｎ  の波長の値が予め設定された値であるか否かを判定するものである。
【００７２】
また、ＬＤ制御部１９ｅは、信号光波長比較判定部１９ｄでの比較判定結果に基づいて、対応するＬＤ１１−１〜１１−ｎの信号光波長を制御する波長制御信号を出力するものである。
なお、ＬＤ制御部１９ｅから出力された波長制御信号は、Ｄ／Ａ変換器３５−１〜３５−ｎにより、光スペクトラムアナライザ１８により検出された各信号光λ１  〜λｎ  の波長と予め設定された各信号光λ１  〜λｎ  の波長とのずれに応じた電圧にＤ／Ａ変換された後（例えば検出された波長が設定値より大きい場合はプラスの電圧に変換され、設定値より小さい場合はマイナスの電圧に変換される）、ＬＤ温度調整部材３６−１〜３６−ｎへ入力される。
【００７３】
ここで、前述したＬＤ温度調整部材３６−１〜３６−ｎについて説明する。
このＬＤ温度調整部材３６−１〜３６−ｎは、図１５に示すように、それぞれペルチエ素子３８及びペルチエ素子作動回路３７をそなえている。なお、図１５においては、ＬＤ温度調整部材３６−ｉ（ｉ＝１，…，ｎ）について示している。
ここで、ペルチエ素子３８は、電流の流れる方向により発熱したり吸熱するものであり、これによりＬＤ温度調整部材３６−ｉが所望の温度を有するようにするものである。
【００７４】
また、ペルチエ素子作動回路３７は、ペルチエ素子３８の前段に設けられ、ペルチエ素子３８に電流を流すことによりペルチエ素子３８を作動させるものであり、それぞれ異なる型のトランジスタ３７ａ，３７ｂが並列に配設されて構成されている。
ペルチエ素子作動回路３７においては、トランジスタ３７ａのベース３７ａ−１とトランジスタ３７ｂのベース３７ｂ−１が接続されるとともに（この接続部を接続部Ｐとする）、トランジスタ３７ａのエミッタ３７ａ−２とトランジスタ３７ｂのコレクタ３７ｂ−３がそれぞれ接続されている（この接続部を接続部Ｑとする）。
【００７５】
さらに、接続部Ｐには、ＣＰＵ１９′から出力された波長制御信号（この波長制御信号については後述する）がＤ／Ａ変換器３５−ｉを介して入力されるとともに、接続部Ｑは、ペルチエ素子３８の一端と接続されている。
なお、図１５においては、Ｄ／Ａ変換器３５−ｉ（ｉ＝１，…，ｎ）について示している。
【００７６】
また、ペルチエ素子３８の他端は接地されており、接続部ＰとＤ／Ａ変換器３５−１〜３５−ｎとの間には抵抗が設けられてもよい。
このような構成により、ＬＤ温度調整部材３６−ｉにおいては、ＣＰＵ１９′のＬＤ制御部１９ｅからの波長制御信号がＤ／Ａ変換器３５−ｉを介して入力されると、入力された電圧（プラスの電圧またはマイナスの電圧）及びその大きさに応じて、トランジスタ３７ａ又はトランジスタ３７ｂのいずれかが動作する。
【００７７】
トランジスタ３７ａが動作する場合には、トランジスタ３７ａのベース３７ａ−１に電圧が印加されて、コレクタ３７ａ−３からエミッタ３７ａ−２及び接続部Ｑを経てペルチエ素子３８へ電流が流れる。
また、トランジスタ３７ｂが動作する場合には、トランジスタ３７ｂのベース３７ｂ−１に電圧が印加されて、ペルチエ素子３８から接続部Ｑ及びコレクタ３７ｂ−３を経てエミッタ３７ｂ−２へ電流が流れる。
【００７８】
さらに、ペルチエ素子３８に流れる電流の向きが制御されることにより、ペルチエ素子３８では、流れる電流の向き及び大きさに応じてその発熱量及び吸熱量が変化し、これによりＬＤ温度調整部材３６−ｉの温度が制御される。
このように、ＬＤ温度調整部材３６−１〜３６−ｎの温度が制御されると、対応するＬＤ１１−１〜１１−ｎの近傍の温度が調整され、ＬＤ１１−１〜１１−ｎからの出力信号光の波長が制御される。
【００７９】
上述の構成により、本実施形態にかかる信号光出力装置７Ｂにおいては、信号光出力ユニット１５−１〜１５−ｎからそれぞれ異なる波長の信号光λ１  〜λｎ  が出力されると、出力された複数の信号光λ１  〜λｎ  は合波器１６により合波されて光伝送路５へ出力される。
一方で、合波器１６において合波された信号光の一部が、カプラ１７を介して光スペクトラムアナライザ１８に入力され、光スペクトラムアナライザ１８では入力された信号光から合波された信号光における各信号光λ１  〜λｎ  の波長が検出され、ＣＰＵ１９′では、光スペクトラムアナライザ１８により検出された各信号光λ１  〜λｎ  の波長に基づいて、合波された信号光における各信号光λ１  〜λｎ  の波長を制御すべく、対応するＬＤ温度調整部材３６−１〜３６−ｎの温度を制御することにより、ＬＤ１１−１〜１１−ｎからの信号光出力を制御する。
【００８０】
このときの光スペクトラムアナライザ１８及びＣＰＵ１９′の行なう動作の一例を、図１６を用いて更に説明する。
制御の対象となる信号光をλｍ  とすると、まず、ＣＰＵ１９′では、ｍが０にリセットされた後に（ステップＢ１）、ｍが１にセットされることにより制御の対象となる信号光がλ１  となる（ステップＢ２）。
【００８１】
これを受けて、光スペクトラムアナライザ１８では、合波器１６により合波された信号光がカプラ１７を介して取り出された後モニタされ（ステップＢ３）、信号光λ１  のピークサーチが行なわれる（ステップＢ４）。
更に、光スペクトラムアナライザ１８では、信号光λ１  の信号光の波長が検出されて、検出された信号光λ１  の波長の値は、ＣＰＵ１９′からの送信要求に応じてＣＰＵ１９′へ送信される（ステップＢ５）。
【００８２】
ＣＰＵ１９′においては、信号光波長比較判定部１９ｄでは、検出された信号光λ１  の波長の値が入力されると、信号光λ１  の波長の初期設定値がメモリ１９ａ′から読み出されて、まず、検出された信号光λ１  の波長の値と初期設定値とが比較され、検出された信号光λ１  の波長の値が初期設定値から±０．１ｎｍ以内の範囲にあるか否かが判定される（ステップＢ６）。
【００８３】
ここで、検出された信号光λ１  の波長の値が初期設定値から±０．１ｎｍ以内の範囲にある場合には、検出された信号光λ１  の波長の値が初期設定値であるとみなされるため、信号光λ１  を出力するＬＤ１１−１の信号光の出力の制御は行なわれない（ステップＢ６のＹＥＳルートからステップＢ１０）。
一方で、検出された信号光λ１  の波長の値が初期設定値から±０．１ｎｍ以内の範囲にない場合には、続いて、検出された信号光λ１  の波長の値が初期設定値から０．１ｎｍ以上の範囲にあるか否かが判定される（ステップＢ６のＮＯルートからステップＢ７）。
【００８４】
ここで、検出された信号光λ１  の波長の値が初期設定値から０．１ｎｍ以上の範囲にある場合は、ＬＤ１１−１の温度を１℃ステップで低くするような波長制御信号が出力され、信号光λ１  を出力するＬＤ１１−１の信号光の波長の制御が行なわれる（ステップＢ７のＹＥＳルートからステップＢ８）。
また、初期設定値から０．１ｎｍ以上の範囲にない場合（即ち初期設定値から０．１ｎｍ以下の範囲にある場合）は、ＬＤ１１−１の温度を１℃ステップで高くするような波長制御信号が出力され、信号光λ１  を出力するＬＤ１１−１の信号光の波長の制御が行なわれる（ステップＢ７のＮＯルートからステップＢ９）。
【００８５】
このようにして、信号光λ１  の制御が終了すると、ＣＰＵ１９′では、ｍ＝ｎであるかが判断されることにより全ての信号光λ１  〜λｎ  の制御が終了したか否かが判定され（ステップＢ１０）、この場合はｍ＝１であり全ての信号光λ１  〜λｎ  の制御が終了していないため、信号光λ１  以外の信号光の制御が開始される（ステップＢ１０のＮＯルートからステップＢ２）。
【００８６】
信号光λ１  以外の信号光の制御も、上述のステップＢ２〜ステップＢ９にて説明した場合と同様に行なわれ、信号光λｎ  の制御が終了すると、ステップＢ１０においてはｍ＝ｎであると判断されるため、各信号光の波長の制御が終了する（ステップＢ１０のＹＥＳルート）。
なお、上述したような各信号光の波長の制御は、例えば１日に数回行なわれる。
【００８７】
このように本実施形態にかかる信号光出力装置７Ｂにおいては、複数の波長の信号光λ１  〜λｎ  が合波されて出力される際に、光伝送路５への入力端において各信号光λ１  〜λｎ  が合波された信号光の一部を分岐して取り出して、光スペクトラムアナライザ１８により各信号光λ１  〜λｎ  の波長をモニタして、ＣＰＵ１９′により、各信号光λ１  〜λｎ  の波長の値が初期設定値であるかを監視しながら、常に各信号光λ１  〜λｎ  の波長の値が初期設定値であるように各ＬＤ１１−１〜１１−ｎの信号光波長を制御することにより、各信号光λ１  〜λｎ  の波長の変化を確実に防ぐことができる。
【００８８】
これにより、図２に示すような波長多重（ＷＤＭ）伝送を行なう光伝送システム１０において、信号光の波長の変化による光分岐挿入装置４の分岐挿入特性の変化を防いで、端局１〜３間で信号光の送受を正確に行なうことができる。
なお、本実施形態においてＣＰＵ１９′を用いて行なっているような信号光の波長の制御は、例えば図１２及び図１３に示すような第１関連実施形態の変形例における制御回路３２−１〜３２−ｎを用いて行なうことはできない。
【００８９】
なぜならば、図１２及び図１３に示す合波器１６において合波された信号光のうちの一部の信号光の波長が変化していたとすると、波長が変化した信号光においては、波長の変化がわずかであれば分波器３０によりその大半が分波されるが、波長の変化が大きくなるのに伴って分波される信号光のパワーが小さくなる。  このように分波された信号光をＰＤ３１−１〜３１−ｎで光電変換すると、信号光のパワーが減少したことは検出できるため波長が変化したことは認識できるが、どのように変化したかは認識できないため、ＬＤ１１−１〜１１−ｎをどのように制御したらよいかが判断できず、信号光の波長の制御を行なうことができないからである。
（ｂ３）信号光出力装置（送信装置）の第２関連実施形態の説明
図１７は本発明の第２関連実施形態にかかる信号光出力装置を示すブロック図であるが、この図１７に示す信号光出力装置７Ｃは、複数の波長の信号光λ１  〜λｎ  を出力する際に、各信号光λ１  〜λｎ  のパワー及び波長を予め設定された値となるように調整して出力するものであり、前述のごとく、図２に示すような光伝送システム１０において、相互に信号光の送受信を行なう複数の端局（図２においてはＡ局１及びＣ局３）の送信装置として用いられるものである。
【００９０】
ここで、信号光出力装置７Ｃは、図１７に示すように、信号光出力ユニット１５−１〜１５−ｎ，合波器１６，光スペクトラムアナライザ（光スペクトル分析器）１８及びＣＰＵ１９′′をそなえている。
なお、１７は１０：１カプラであり、２０−１〜２０−ｎ，３５−１〜３５−ｎはＤ／Ａ変換器である。
【００９１】
また、図１７においては、信号光が通るルートを太線で示し、電気信号が通るルートを細線で示している。
さらに、本実施形態においても、信号光出力ユニット１５−１〜１５−ｎのＬＤ１１−１〜１１−ｎには、ペルチエ素子で構成されたＬＤ温度調整部材３６−１〜３６−ｎがそれぞれ付設されている。
【００９２】
この図１７において、図１に示す第１関連実施形態にかかる信号光出力装置７及び図１４に示す本実施形態にかかる信号光出力装置７Ｂと同じ符号を付したものは、同様の構成及び機能を有するものであるが、光スペクトラムアナライザ（光スペクトル分析器）１８は、本実施形態においては、合波器１６において合波された信号光の一部をカプラ１７を介して取り出して、合波された信号光のパワー及び波長を、信号光出力ユニット１５−１〜１５−ｎのＬＤ１１−１〜１１−ｎにおける信号光波長に対応した波長毎に検出する信号光検出部として機能する。
【００９３】
さらに、ＣＰＵ１９′′は、光スペクトラムアナライザ１８における動作を制御するとともに、光スペクトラムアナライザ１８により検出された各信号光λ１  〜λｎ  のパワー及び波長に基づいて、合波された信号光における各信号光λ１  〜λｎ  のパワー及び波長を制御すべく、対応するポストアンプ１４−１〜１４−ｎの信号光出力を制御する信号光出力制御手段として機能するとともに、対応するＬＤ１１−１〜１１−ｎの信号光波長を制御する信号光波長制御手段として機能するものである。
【００９４】
なお、このときの対応するＬＤ１１−１〜１１−ｎの出力信号光の波長の制御は、対応するＬＤ１１−１〜１１−ｎに付設されたＬＤ温度調整部材３６−１〜３６−ｎの温度を制御することにより行なわれている。
そしてこの信号光波長制御手段としての機能を実現するために、ＣＰＵ１９′′は、図１８及び図１９に示すように、各信号光λ１  〜λｎ  のパワー及び波長の値（即ち各信号光λ１  〜λｎ  のパワー及び波長の初期設定値）を格納するメモリ１９ａ′′を有するとともに、信号光パワー比較判定部１９ｂ，ポストアンプ制御部１９ｃ，信号光波長比較判定部１９ｄ及びＬＤ制御部１９ｅに相当する機能をソフトウェアの処理により実現している。
【００９５】
信号光パワー比較判定部１９ｂは、光スペクトラムアナライザ１８から各信号光λ１  〜λｎ  の検出データが入力されると、入力された信号光λ１  〜λｎ  に対応する信号光のパワーの初期設定値をメモリ１９ａ′′から読み出して、光スペクトラムアナライザ１８により検出された各信号光λ１  〜λｎ  のパワーと、前述したプリエンファシスにより設定された各信号光λ１  〜λｎ  のパワー（各信号光λ１  〜λｎ  のパワーの初期設定値）とを比較し、光スペクトラムアナライザ１８により検出された各信号光λ１  〜λｎ  のパワーの値がプリエンファシスによる設定値であるか否かを判定するものである。
【００９６】
また、ポストアンプ制御部１９ｃは、信号光パワー比較判定部１９ｂでの比較判定結果に基づいて、対応するポストアンプ１４−１〜１４−ｎの信号光出力を制御する出力制御信号を出力するものである。
なお、ポストアンプ制御部１９ｃから出力された出力制御信号は、Ｄ／Ａ変換器２０−１〜２０−ｎによりＤ／Ａ変換されて、ポストアンプ１４−１〜１４−ｎへ入力される。
【００９７】
さらに、信号光波長比較判定部１９ｄは、光スペクトラムアナライザ１８から各信号光λ１  〜λｎ  の検出データが入力されると、入力された信号光λ１  〜λｎ  に対応する信号光の波長の初期設定値をメモリ１９ａ′′から読み出して、光スペクトラムアナライザ１８により検出された各信号光λ１  〜λｎ  の波長と、予め設定された各信号光λ１  〜λｎ  の波長とを比較し、光スペクトラムアナライザ１８により検出された各信号光λ１  〜λｎ  の波長の値が予め設定された値であるか否かを判定するものである。
【００９８】
また、ＬＤ制御部１９ｅは、信号光波長比較判定部１９ｄでの比較判定結果に基づいて、対応するＬＤ１１−１〜１１−ｎの信号光波長を制御する波長制御信号を出力するものである。
なお、ＬＤ制御部１９ｅから出力された波長制御信号は、Ｄ／Ａ変換器３５−１〜３５−ｎにより、光スペクトラムアナライザ１８により検出された各信号光λ１  〜λｎ  の波長と予め設定された各信号光λ１  〜λｎ  の波長とのずれに応じた電圧にＤ／Ａ変換された後（例えば検出された波長が設定値より大きい場合はプラスの電圧に変換され、設定値より小さい場合はマイナスの電圧に変換される）、ＬＤ温度調整部材３６−１〜３６−ｎへ入力される。
【００９９】
なお、図１８においては、信号光出力ユニット１５−ｉ（ｉ＝１，…，ｎ）及びＤ／Ａ変換器２０−ｉ（ｉ＝１，…，ｎ），３５−ｉ（ｉ＝１，…，ｎ）について示しており、図１９においては、ＬＤ温度調整部材３６−ｉ（ｉ＝１，…，ｎ）及びＤ／Ａ変換器２０−ｉ（ｉ＝１，…，ｎ），３５−ｉ（ｉ＝１，…，ｎ）について示している。
上述の構成により、本実施形態にかかる信号光出力装置７Ｃにおいては、信号光出力ユニット１５−１〜１５−ｎからそれぞれ異なる波長の信号光λ１  〜λｎ  が出力されると、出力された複数の信号光λ１  〜λｎ  は合波器１６により合波されて光伝送路５へ出力される。
【０１００】
一方で、合波器１６において合波された信号光の一部が、カプラ１７を介して光スペクトラムアナライザ１８に入力され、光スペクトラムアナライザ１８では入力された信号光から合波された信号光における各信号光λ１  〜λｎ  のパワー及び波長が検出され、ＣＰＵ１９′′では、光スペクトラムアナライザ１８により検出された各信号光λ１  〜λｎ  のパワーに基づいて、合波された信号光における各信号光λ１  〜λｎ  のパワーを制御すべく、対応するポストアンプ１４−１〜１４−ｎの信号光出力を制御する。なお、このとき光スペクトラムアナライザ１８及びＣＰＵ１９′′は、例えば図５に示すフローチャートを用いて説明したように動作する。
【０１０１】
さらに、ＣＰＵ１９′′では、光スペクトラムアナライザ１８により検出された各信号光λ１  〜λｎ  の波長に基づいて、合波された信号光における各信号光λ１  〜λｎ  の波長を制御すべく、対応するＬＤ温度調整部材３６−１〜３６−ｎの温度を制御することにより、ＬＤ１１−１〜１１−ｎからの信号光出力を制御する。なお、このとき光スペクトラムアナライザ１８及びＣＰＵ１９′′は、例えば図１６に示すフローチャートを用いて説明したように動作する。
【０１０２】
なお、上述した各信号光λ１  〜λｎ  のパワーの制御と各信号光λ１  〜λｎ  の波長の制御とを、同時に行なってもよいし、各信号光λ１  〜λｎ  のパワー（又は波長）の制御を行なった後に、各信号光λ１  〜λｎ  の波長（又はパワー）の制御を行なってもよい。
このように本実施形態にかかる信号光出力装置７Ｃにおいては、複数の波長の信号光λ１  〜λｎ  が合波されて出力される際に、光伝送路５への入力端において各信号光λ１  〜λｎ  が合波された信号光の一部を分岐して取り出して、光スペクトラムアナライザ１８により各信号光λ１  〜λｎ  のパワー及び波長をモニタして、ＣＰＵ１９′′により、各信号光λ１  〜λｎ  のパワー及び波長の値が初期設定値であるかを監視しながら、常に各信号光λ１  〜λｎ  のパワーの値が初期設定値であるように各ポストアンプ１４−１〜１４−ｎの信号光出力を制御するとともに、常に各信号光λ１  〜λｎ  の波長の値が初期設定値であるように各ＬＤ１１−１〜１１−ｎの信号光波長を制御することにより、プリエンファシスにより設定された各信号光λ１  〜λｎ  のパワーの比率を確実に制御しながら、各信号光λ１  〜λｎ  の波長の変化を防ぐことができる。
【０１０３】
このとき、各ポストアンプ１４−１〜１４−ｎの信号光出力を制御することにより各信号光λ１  〜λｎ  のパワーを制御しているため、前述したような従来の信号光出力装置のような信号光源（ＬＤ）の出力を制御することによる信号光の波長の変化を防ぐことができ、上述した各信号光λ１  〜λｎ  の波長の制御を容易に行なうことができる。
これにより、図２に示すような波長多重（ＷＤＭ）伝送を行なう光伝送システム１０において、送信装置７における信号光を出力する際のプリエンファシスを長期的に安定化して、各信号光間の伝送特性のばらつきを最小限に抑えることができるとともに、信号光の波長の変化による光分岐挿入装置４の分岐挿入特性の変化を防いで、端局１〜３間で信号光の送受を正確に行なうことができる。
（ｂ４）その他
なお、図１２及び図１３に示す本発明の第１関連実施形態の変形例にかかる信号光出力装置７Ａにおいては、各信号光λ１  〜λｎ  のパワーの制御は制御回路３２−１〜３２−ｎにより行なわれているが、各ＰＤ３１−１〜３１−ｎの後段にＡ／Ｄ変換器を設けて、ＣＰＵにより行なうようにしてもよい。
（ｃ）光分岐挿入装置の説明
ここで、図２に示す光伝送システム１０に用いられる光分岐挿入装置４について詳細に説明する。
【０１０４】
光分岐挿入装置４は、前述のごとく、複数の端局１〜３を相互に接続した光伝送路５の分岐点に設けられ、この光伝送路５を介してこれらの端局１〜３から入力された所望の波長の信号光を所望の端局１〜３へ出力することにより、複数の端局間で信号光の伝送を行なえるようにするものであり、図６に示すように、分岐部２１−１及び挿入部２１−２をそなえて構成されている。
【０１０５】
分岐部２１−１は、入力側光ファイバ２２−１から信号光が入力されると、入力された信号光のうちの所望の波長の信号光については光ファイバ２２−３を介して挿入部２１−２へ出力するとともに、入力された信号光のうちの所望の波長とは異なる他の波長の信号光については分岐用出力側光ファイバ２２−４へ出力するものである。
即ち、分岐部２１−１は、図７（ａ）に示すように、入力側光ファイバ２２−１からポート１を通じて入力された信号光のうちの所望の波長の信号光については、ポート２を通じ光ファイバ２２−３へ出力する帯域通過フィルタ（バンドパスフィルタ）として機能するとともに、入力側光ファイバ２２−１からポート１を通じて入力された信号光のうちの所望の波長とは異なる他の波長の信号光については、ポート３を通じて分岐用出力側光ファイバ２２−４へ出力する帯域阻止フィルタ（ノッチフィルタ）として機能する誘電体多層膜フィルタで構成されている。なお、この誘電体多層膜フィルタについての詳細な説明は後述する。
【０１０６】
また、挿入部２１−２は、分岐用入力側光ファイバ２２−５から入力された信号光については、分岐部２１−１から光ファイバ２２−３を介して入力された信号光と合波して、出力側光ファイバ２２−２へ出力するものである。
即ち、挿入部２１−２は、図７（ｂ）に示すように、光ファイバ２２−３からポート２を通じて入力された信号光については、ポート１を通じて出力側光ファイバ２２−２へ出力する帯域通過フィルタ（バンドパスフィルタ）として機能するとともに、分岐用入力側光ファイバ２２−５からポート３を通じて入力された信号光については、ポート１を通じて出力側光ファイバ２２−２へ出力する帯域阻止フィルタ（ノッチフィルタ）として機能する誘電体多層膜フィルタで構成されている。
【０１０７】
これにより、挿入部２１−２は、ポート２から入力された信号光とポート３から入力された信号光とを合波して、ポート１へ出力する光カプラとして機能するのである。
なお、図７（ａ）及び図７（ｂ）に示す誘電体多層膜フィルタは、それぞれ可逆特性を有するものであるため、分岐部２１−１と挿入部２１−２とを同型の誘電体多層膜フィルタで構成することができる。
【０１０８】
このように光分岐挿入装置４が、誘電体多層膜フィルタを用いて構成されることにより、１本の光ファイバにより伝送された複数の波長の信号光を波長により分岐したり、１本の光ファイバにより伝送された複数の波長の信号光に所望の波長の信号光を挿入したりすることができるようになる。
このため、例えば図２０に示すような従来の光分岐挿入装置１０５，１０６では、各端局間で光伝送路１０７が重複するように構成されていたのに対して、図６に示す光分岐挿入装置４では、図２に示すように光伝送路５を各端局間で重複させずに簡素に構成することができるのである。
【０１０９】
ここで、前述した誘電体多層膜フィルタについて説明する。
この誘電体多層膜フィルタは、図７（ａ），図７（ｂ）に示すような３ポート型の光フィルタとして構成されており、図７（ａ）に示す誘電体多層膜フィルタは、ポート１とポート２との間では、例えば図１０に示すような中心波長１５５８ｎｍの帯域通過フィルタの波長特性を有するとともに、ポート１とポート３との間では、例えば図１１に示すような中心波長１５５８ｎｍの帯域阻止フィルタの波長特性を有するものである。なお、図１０，図１１は、信号光の波長とその波長における信号光の挿入損失との関係を示すものである。
【０１１０】
この誘電体多層膜フィルタにポート１から信号光が入力されると、波長１５５８ｎｍの信号光はポート２へ出力されるとともに、波長１５５８ｎｍ以外の信号光はポート３へ出力されることにより、波長による信号光の分岐が行なわれる。なお、この誘電体多層膜フィルタにおいては、信号光の挿入も同様に行なわれる。
このような信号光の分岐及び挿入は、光カプラによっても行なうことが可能であるが、光カプラは信号光の分岐及び挿入を行なう際の損失が大きいため、このような光カプラを用いて光分岐挿入装置を構成すると、光分岐挿入装置を介して伝送される信号光の損失も大きくなる。
【０１１１】
そこで、光カプラより信号光の損失が小さいフィルタである誘電体多層膜フィルタを用いて光分岐挿入装置４を構成することにより、光分岐挿入装置４を介して伝送される信号光の損失を小さくしているのである。
具体的には、誘電体多層膜フィルタは、図９に示すように、レンズ２４−１〜２４−３及び誘電体多層膜２５をそなえて構成されている。なお、２６は光ファイバである。
【０１１２】
ここで、レンズ２４−１〜２４−３は、信号光の集光性を高めるために光ファイバ２６にそれぞれ装着されるコリメートレンズであり、誘電体多層膜２５は、入力された信号光の波長により、信号光を透過する帯域通過フィルタとしての機能や、信号光を反射する帯域阻止フィルタとしての機能を実際に有するものである。
この誘電体多層膜フィルタ２３を、分岐部２１−１として用いた場合には、信号光をポート１から入力し、分岐された信号光をポート３から出力し、分岐された信号光以外の信号光をポート２から出力するようになっている。
【０１１３】
また、この誘電体多層膜フィルタ２３を、挿入部２１−２として用いた場合には、信号光をポート２から入力し、挿入される信号光をポート３から入力し、入力された信号光と挿入された信号光とが合波された信号光をポート１から出力するようになっている。
このときの信号光の分岐及び挿入にかかる動作を、更に図８を用いて説明する。
この図８に示すように、例えば入力側光ファイバ２２−１から分岐部２１−１のポート１へ信号光λＡ１〜λＡ６が入力されると、分岐部２１−１では、信号光λＡ２〜λＡ５については分岐部２１−１のポート２から光ファイバ２２−３へ出力し、信号光λＡ１，λＡ６については分岐して分岐部２１−１のポート３から分岐用出力側光ファイバ２２−４へ出力する。
【０１１４】
続いて、光ファイバ２２−３から挿入部２１−２のポート２へ信号光λＡ２〜λＡ５が入力されるとともに、分岐用入力側光ファイバ２２−５から挿入部２１−２のポート３へ挿入すべき信号光λＢ１，λＢ６が入力されると、挿入部２１−２では、信号光λＡ２〜λＡ５と信号光λＢ１，λＢ６とを合波して挿入部２１−２のポート１から出力側光ファイバ２２−２へ出力する。
【０１１５】
このようにして、誘電体多層膜フィルタ２３による信号光の分岐及び挿入が行なわれる。
上述の構成により、図６に示す光分岐挿入装置４においては、入力側光ファイバ２２−１から信号光が入力されると、入力された信号光のうちの所望の波長の信号光については光ファイバ２２−３及び挿入部２１−２を介して出力側光ファイバ２２−２へ出力するとともに、入力された信号光のうちの所望の波長とは異なる他の波長の信号光については分岐用出力側光ファイバ２２−４へ出力する。
【０１１６】
また、分岐用入力側光ファイバ２２−５から入力された信号光については出力側光ファイバ２２−２へと出力する。
このように、図６に示す光分岐挿入装置４は、誘電体多層膜フィルタで構成された分岐部２１−１及び挿入部２１−２をそなえるという簡素な構成により、信号光を伝送する際における信号光の分岐や挿入を低損失且つ高精度に行なうことができる。
【０１１７】
また、光分岐挿入装置４においては、受動型の光フィルタである誘電体多層膜フィルタを用いているため、電圧を印加しないで信号光の分岐及び挿入を行なうことができ、例えば海底光通信を行なう光伝送システムにおいても安定に動作することができる。
（ｄ）受信装置の説明
図２に示す光伝送システム１０においては、前述のごとく、Ｂ局２及びＣ局３には受信装置８が設けられているが、この受信装置８は、他の端局の送信装置７から送信された信号光を受信して、受信した信号光を復調するものである。
【０１１８】
この受信装置８としては、例えばフィルタリング機能を有する光分波器と、この光分波器から出力された複数の信号光についてそれぞれ復調処理を施す複数の信号光受信ユニットとをそなえたものが使用される。
【図面の簡単な説明】
【０１１９】
【図１】本発明の第１関連実施形態にかかる信号光出力装置の構成を示すブロック図である。
【図２】本発明の第１関連実施形態にかかる信号光出力装置が適用される光伝送システムの構成を示すブロック図である。
【図３】本発明の第１関連実施形態にかかる信号光出力装置の要部の構成を詳細に示すブロック図である。
【図４】本発明の第１関連実施形態にかかる信号光出力装置における光スペクトラムアナライザの構成を示すブロック図である。
【図５】本発明の第１実施形態にかかる信号光出力装置の動作を説明するためのフローチャートである。
【図６】本発明の第１関連実施形態にかかる信号光出力装置が適用される光伝送システムにおける光分岐挿入装置の構成を示すブロック図である。
【図７】（ａ），（ｂ）は、本発明の第１関連実施形態にかかる信号光出力装置が適用される光伝送システムにおける光分岐挿入装置に用いられる誘電体多層膜フィルタの動作を説明するための図である。
【図８】本発明の第１関連実施形態にかかる信号光出力装置が適用される光伝送システムにおける光分岐挿入装置に用いられる誘電体多層膜フィルタの動作を説明するための図である。
【図９】本発明の第１関連実施形態にかかる信号光出力装置が適用される光伝送システムにおける光分岐挿入装置に用いられる誘電体多層膜フィルタの構成を示すブロック図である。
【図１０】本発明の第１関連実施形態にかかる信号光出力装置が適用される光伝送システムにおける光分岐挿入装置に用いられる誘電体多層膜フィルタの有する波長特性を示す図である。
【図１１】本発明の第１関連実施形態にかかる信号光出力装置が適用される光伝送システムにおける光分岐挿入装置に用いられる誘電体多層膜フィルタの有する波長特性を示す図である。
【図１２】本発明の第１関連実施形態の変形例にかかる信号光出力装置の構成を示すブロック図である。
【図１３】本発明の第１関連実施形態の変形例にかかる信号光出力装置の要部の構成を詳細に示すブロック図である。
【図１４】本発明の一実施形態にかかる信号光出力装置の構成を示すブロック図である。
【図１５】本発明の一実施形態にかかる信号光出力装置の要部の構成を詳細に示すブロック図である。
【図１６】本発明の一実施形態にかかる信号光出力装置の動作を説明するためのフローチャートである。
【図１７】本発明の第２関連実施形態にかかる信号光出力装置の構成を示すブロック図である。
【図１８】本発明の第２関連実施形態にかかる信号光出力装置の要部の構成を詳細に示すブロック図である。
【図１９】本発明の第２関連実施形態にかかる信号光出力装置の要部の構成を詳細に示すブロック図である。
【図２０】従来の光伝送システムの構成を示す図である。
【図２１】（ａ），（ｂ）は、プリエンファシスを行なわずに信号光を伝送したときの光スペクトルの一例を示す図である。
【図２２】（ａ），（ｂ）は、プリエンファシスを行なって信号光を伝送したときの光スペクトルの一例を示す図である。
【符号の説明】
【０１２０】
１  Ａ局（端局）
２  Ｂ局（端局）
３  Ｃ局（端局）
４  光分岐挿入装置
５  光伝送路
６  光増幅器
７，７Ａ〜７Ｃ  信号光出力装置（送信装置）
８  受信装置
１０  光伝送システム
１１−１〜１１−ｎ  レーザダイオード（ＬＤ；信号光源）
１２−１〜１２−ｎ  変調器
１３−１〜１３−ｎ  スクランブラ（ＳＣＲ）
１４−１〜１４−ｎ  ポストアンプ（光増幅部）
１４ａ  エルビウムドープファイバ（ＥＤＦ）
１４ｂ  光アイソレータ
１４ｃ  光カプラ
１４ｄ  ポンプレーザダイオード（ポンプＬＤ）
１４ｆ  トランジスタ
１４ｆ−１  ベース
１４ｆ−２  エミッタ
１４ｆ−３  コレクタ
１４ｅ，１４ｇ  抵抗
１５−１〜１５−ｎ  信号光出力ユニット
１６  合波器（光合波部）
１７  カプラ（１０：１カプラ）
１８  光スペクトラムアナライザ（光スペクトル分析器；信号光パワー検出部）
１８ａ  モノクロメータ
１８ｂ  フォトダイオード
１８ｃ  トランスインピーダンス増幅器
１８ｄ  ディスプレイ
１８ｅ  制御部
１８ｆ  電流源
１９  中央処理装置（ＣＰＵ；信号光出力制御手段）
１９′中央処理装置（ＣＰＵ；信号光波長制御手段）
１９′′  中央処理装置（ＣＰＵ）
１９ａ，１９ａ′，１９ａ′′  メモリ
１９ｂ  信号光パワー比較判定部（信号光パワー比較判定手段）
１９ｃ  ポストアンプ制御部
１９ｄ  信号光波長比較判定部（信号光波長比較判定手段）
１９ｅ  ＬＤ制御部
２０−１〜２０−ｎ  Ｄ／Ａ変換器
２１−１  分岐部
２１−２  挿入部
２２−１〜２２−５  光ファイバ
２３  誘電体多層膜フィルタ
２４−１〜２４−３  レンズ
２５  誘電体多層膜
２６  光ファイバ
３０  分波器
３１−１〜３１−ｎ  フォトダイオード（ＰＤ）
３２  制御部
３２−１〜３２−ｎ  制御回路
３３  抵抗
３４ａ  演算増幅器（ＯＰアンプ）
３４ｂ，３４ｃ  抵抗
３４ｄ  可変電圧源
３５−１〜３５−ｎ  Ｄ／Ａ変換器
３６−１〜３６−ｎ  ＬＤ温度調整部材（光源温度調整部材）
３７  ペルチエ素子作動回路
３７ａ  トランジスタ
３７ａ−１  ベース
３７ａ−２  エミッタ
３７ａ−３  コレクタ
３７ｂ  トランジスタ
３７ｂ−１  ベース
３７ａ−２  エミッタ
３７ｂ−３  コレクタ
３８  ペルチエ素子
１００  光伝送システム
１０１  Ａ局
１０２  Ｂ局
１０３  Ｃ局
１０４  Ｄ局
１０５，１０６  光分岐挿入装置
１０７  光伝送路
１０８  光増幅器
１０９  送信装置
１１０  受信装置
【図１】
2006020364.tif 000003
【図２】
2006020364.tif 000004
【図３】
2006020364.tif 000005
【図４】
2006020364.tif 000006
【図５】
2006020364.tif 000007
【図６】
2006020364.tif 000008
【図７】
2006020364.tif 000009
【図８】
2006020364.tif 000010
【図９】
2006020364.tif 000011
【図１０】
2006020364.tif 000012
【図１１】
2006020364.tif 000013
【図１２】
2006020364.tif 000014
【図１３】
2006020364.tif 000015
【図１４】
2006020364.tif 000016
【図１５】
2006020364.tif 000017
【図１６】
2006020364.tif 000018
【図１７】
2006020364.tif 000019
【図１８】
2006020364.tif 000020
【図１９】
2006020364.tif 000021
【図２０】
2006020364.tif 000022
【図２１】
2006020364.tif 000023
【図２２】
2006020364.tif 000024